(57)【要約】【課題】屋外用電子機器を雨水等から保護できる防雨構造を持ち、かつカバーの開放状態における作業性を向上させることのできる屋外用電子機器の防雨構造を提供する。【解決手段】箱形形状で電子機器を納めるケース本体２にヒンジ部９を介してカバー体３を開閉自在に設け、ケース本体２の側面４４に閉じた状態のカバー体３に向かって鍔状に突出する封止部５０を有し、ヒンジ部９はケース本体２の側面４４における封止部５０より外部側に設ける支承軸６０と、カバー体３の側面における支承軸６０に略対応する位置に設けてそれを挿入する貫通孔６１とからなり、貫通孔６１は略円形に形成される回転部６１ａと、そこから連続した細長状に形成される保持部６１ｂとからなり、回転部６１ａはカバー体３を支承軸６０に対して回転自在とし、保持部６１ｂは開放状態のカバー体３を支承軸６０に対してスライド自在とし、かつ開閉方向に保持する。【選択図】  図２
2004363361.tif 000002
【特許請求の範囲】
【請求項１】
箱形形状からなり電子機器を納めるケース本体にヒンジ部を介してカバー体を開閉自在に設け、上記ケース本体はその側面に閉じた状態の上記カバー体に向かって鍔状に突出する封止部を有してなる屋外用電子機器の防雨構造であって、
上記ヒンジ部は上記ケース本体の側面における封止部より外部側に設けてなる支承軸と、上記カバー体の側面における上記支承軸に略対応する位置に設けて上記支承軸を挿入する貫通孔とからなり、
上記貫通孔は略円形に形成される回転部と、該回転部から連続した細長状に形成される保持部とからなり、上記回転部はカバー体を上記支承軸に対して回転自在とし、上記保持部は開放状態のカバー体を上記支承軸に対してスライド自在とし、かつ開閉方向に保持することを特徴とする屋外用電子機器の防雨構造。
【請求項２】
箱形形状からなり電子機器を納めるケース本体にヒンジ部を介してカバー体を開閉自在に設け、上記カバー体はケース本体の側面を略覆う内側面にそのケース本体に向かって鍔状に突出する封止部を有してなる屋外用電子機器の防雨構造であって、
上記ヒンジ部は上記ケース本体の側面であってカバー体を閉じた状態における上記封止部より外部側に設けてなる支承軸と、上記カバー体の側面における上記支承軸に略対応する位置に設けて上記支承軸を挿入する貫通孔とからなり、
上記貫通孔は略円形に形成される回転部と、該回転部から連続した細長状に形成される保持部とからなり、上記回転部はカバー体を上記支承軸に対して回転自在とし、上記保持部は開放状態のカバー体を上記支承軸に対してスライド自在とし、かつ開閉方向に保持することを特徴とする屋外用電子機器の防雨構造。
【請求項３】
箱形形状からなり電子機器を納めるケース本体にヒンジ部を介してカバー体を開閉自在に設け、上記ケース本体はその側面に閉じた状態の上記カバー体に向かって鍔状に突出する封止部を有してなる屋外用電子機器の防雨構造であって、
上記ヒンジ部は上記カバー体の側面であってカバー体を閉じた状態における上記封止部より外部側に設けてなる支承軸と、上記ケース本体の側面における上記支承軸に略対応する位置に設けて上記支承軸を挿入する貫通孔とからなり、
上記貫通孔は略円形に形成される回転部と、該回転部から連続した細長状に形成される保持部とからなり、上記回転部はカバー体を上記支承軸に対して回転自在とし、上記保持部は開放状態のカバー体を上記支承軸に対してスライド自在とし、かつ開閉方向に保持することを特徴とする屋外用電子機器の防雨構造。
【請求項４】
箱形形状からなり電子機器を納めるケース本体にヒンジ部を介してカバー体を開閉自在に設け、上記カバー体はケース本体の側面を略覆う内側面にそのケース本体に向かって鍔状に突出する封止部を有してなる屋外用電子機器の防雨構造であって、
上記ヒンジ部は上記カバー体の側面における封止部より外部側に設けてなる支承軸と、上記ケース本体の側面における上記支承軸に略対応する位置に設けて上記支承軸を挿入する貫通孔とからなり、
上記貫通孔は略円形に形成される回転部と、該回転部から連続した細長状に形成される保持部とからなり、上記回転部はカバー体を上記支承軸に対して回転自在とし、上記保持部は開放状態のカバー体を上記支承軸に対してスライド自在とし、かつ開閉方向に保持することを特徴とする屋外用電子機器の防雨構造。
【請求項５】
上記支承軸は円柱の両側を切欠いて上記貫通孔の保持部と略同幅とした棒状に形成してなることを特徴とする請求項１〜４のいずれか１項に記載の屋外用電子機器の防雨構造。
【請求項６】
上記ケース本体及びカバー体の側面にはそれぞれ延出片を設け、各延出片に上記支承軸または貫通孔を形成することを特徴とする請求項１〜５のいずれか１項に記載の屋外用電子機器の防雨構造。
【請求項７】
上記ケース本体には外部から引き込まれる信号線を納めると共に、該信号線の引込口を形成し、該引込口にはそれを略覆う保持キャップを設け、該保持キャップは上記信号線を引込口に対して保持固定することを特徴とする請求項１〜６のいずれか１項に記載の屋外用電子機器の防雨構造。
【請求項８】
上記信号線の引込口は上記ケース本体とカバー体にまたがって形成され、上記保持キャップは上記カバー体をケース本体に対して閉じた状態における引込口を略覆うことを特徴とする請求項７記載の屋外用電子機器の防雨構造。
【発明の詳細な説明】
【０００１】
【発明の属する技術分野】
本発明は、ケース本体に対してカバー体を開閉自在に設けてなる屋外用電子機器の防雨構造に関し、特にカバー体を解放状態で固定できる屋外用電子機器の防雨構造に関する。
【０００２】
【従来の技術】
従来から、各種電子機器は建物の屋内のみならず屋外に設置される場合がある。例えば、通信等に用いられる光ファイバを屋外から建物内に引き込む際に、光信号を電気信号に変換する光電変換部を収納すると共に、光ファイバの余長分を収納する光ファイバ収納ケースが屋外である建物外壁面に設けられる。光電変換部は電子機器であり、屋外に設けるためには、それを納めるケースは雨水等から電子機器を保護するために、防雨構造を有している必要がある。
【０００３】
従来用いられている屋外用電子機器の防雨構造としては、例えば特許文献１のようなものが挙げられる。特許文献１は、本体に電子機器を納め、本体と取付台を開閉自在としたものであって、配線部の周囲を囲むように形成した仕切部材や封止部材を設けて、雨水等が電子機器を納めた部分に直接入り込まないようにしている。
【０００４】
【特許文献１】
特開平９−２２２８６１号公報
【０００５】
【発明が解決しようとする課題】
しかし、従来の屋外用電子機器の防雨構造では、特許文献１のようにケースを開閉自在としているものの、開放状態を固定しておくことはできないため、カバーとなる部分の位置が不安定になって、作業性を悪化させていた。カバーが上下方向に開閉自在とされている場合には、開放状態としたカバーを作業中は常に支えていなければならず、さらに作業性が悪くなる。特に、上述した光ファイバ収納ケースは、建物外壁面の比較的高所に設けられるため、高所作業が必要であり、作業性の向上は特に望まれるところである。
【０００６】
本発明は、上記課題を解決すべくなされたものであり、屋外用電子機器を雨水等から保護できる防雨構造を持ち、かつカバーの開放状態における作業性を向上させることのできる屋外用電子機器の防雨構造を提供することを目的とする。
【０００７】
【課題を解決するための手段】
上記課題を解決するため、本発明に係る屋外用電子機器の防雨構造は、箱形形状からなり電子機器を納めるケース本体にヒンジ部を介してカバー体を開閉自在に設け、上記ケース本体はその側面に閉じた状態の上記カバー体に向かって鍔状に突出する封止部を有してなる屋外用電子機器の防雨構造であって、
上記ヒンジ部は上記ケース本体の側面における封止部より外部側に設けてなる支承軸と、上記カバー体の側面における上記支承軸に略対応する位置に設けて上記支承軸を挿入する貫通孔とからなり、
上記貫通孔は略円形に形成される回転部と、該回転部から連続した細長状に形成される保持部とからなり、上記回転部はカバー体を上記支承軸に対して回転自在とし、上記保持部は開放状態のカバー体を上記支承軸に対してスライド自在とし、かつ開閉方向に保持することを特徴として構成されている。
【０００８】
また、本発明に係る屋外用電子機器の防雨構造は、箱形形状からなり電子機器を納めるケース本体にヒンジ部を介してカバー体を開閉自在に設け、上記カバー体はケース本体の側面を略覆う内側面にそのケース本体に向かって鍔状に突出する封止部を有してなる屋外用電子機器の防雨構造であって、
上記ヒンジ部は上記ケース本体の側面であってカバー体を閉じた状態における上記封止部より外部側に設けてなる支承軸と、上記カバー体の側面における上記支承軸に略対応する位置に設けて上記支承軸を挿入する貫通孔とからなり、
上記貫通孔は略円形に形成される回転部と、該回転部から連続した細長状に形成される保持部とからなり、上記回転部はカバー体を上記支承軸に対して回転自在とし、上記保持部は開放状態のカバー体を上記支承軸に対してスライド自在とし、かつ開閉方向に保持することを特徴として構成されている。
【０００９】
さらに、本発明に係る屋外用電子機器の防雨構造は、箱形形状からなり電子機器を納めるケース本体にヒンジ部を介してカバー体を開閉自在に設け、上記ケース本体はその側面に閉じた状態の上記カバー体に向かって鍔状に突出する封止部を有してなる屋外用電子機器の防雨構造であって、
上記ヒンジ部は上記カバー体の側面であってカバー体を閉じた状態における上記封止部より外部側に設けてなる支承軸と、上記ケース本体の側面における上記支承軸に略対応する位置に設けて上記支承軸を挿入する貫通孔とからなり、
上記貫通孔は略円形に形成される回転部と、該回転部から連続した細長状に形成される保持部とからなり、上記回転部はカバー体を上記支承軸に対して回転自在とし、上記保持部は開放状態のカバー体を上記支承軸に対してスライド自在とし、かつ開閉方向に保持することを特徴として構成されている。
【００１０】
さらにまた、本発明に係る屋外用電子機器の防雨構造は、箱形形状からなり電子機器を納めるケース本体にヒンジ部を介してカバー体を開閉自在に設け、上記カバー体はケース本体の側面を略覆う内側面にそのケース本体に向かって鍔状に突出する封止部を有してなる屋外用電子機器の防雨構造であって、
上記ヒンジ部は上記カバー体の側面における封止部より外部側に設けてなる支承軸と、上記ケース本体の側面における上記支承軸に略対応する位置に設けて上記支承軸を挿入する貫通孔とからなり、
上記貫通孔は略円形に形成される回転部と、該回転部から連続した細長状に形成される保持部とからなり、上記回転部はカバー体を上記支承軸に対して回転自在とし、上記保持部は開放状態のカバー体を上記支承軸に対してスライド自在とし、かつ開閉方向に保持することを特徴として構成されている。
【００１１】
そして、本発明に係る屋外用電子機器の防雨構造は、上記支承軸は円柱の両側を切欠いて上記貫通孔の保持部と略同幅とした棒状に形成してなることを特徴として構成されている。
【００１２】
また、本発明に係る屋外用電子機器の防雨構造は、上記ケース本体及びカバー体の側面にはそれぞれ延出片を設け、各延出片に上記支承軸または貫通孔を形成することを特徴として構成されている。
【００１３】
さらに、本発明に係る屋外用電子機器の防雨構造は、上記ケース本体には外部から引き込まれる信号線を納めると共に、該信号線の引込口を形成し、該引込口にはそれを略覆う保持キャップを設け、該保持キャップは上記信号線を引込口に対して保持固定することを特徴として構成されている。
【００１４】
さらにまた、本発明に係る屋外用電子機器の防雨構造は、上記信号線の引込口は上記ケース本体とカバー体にまたがって形成され、上記保持キャップは上記カバー体をケース本体に対して閉じた状態における引込口を略覆うことを特徴として構成されている。
【００１５】
【発明の実施の形態】
本発明の実施形態について、図面に沿って詳細に説明する。本実施形態では、本発明に係る屋外用電子機器の防雨構造を光ファイバ収納ケースに適用したものを示す。図１は本実施形態における光ファイバ収納ケース１のカバー体３を開けた状態における平面図であり、図２は本実施形態における光ファイバ収納ケース１の組立斜視図である。また、図３は本実施形態における光ファイバ収納ケース１のカバー体３を閉めた状態における平面図である。これら各図において、本実施形態における光ファイバ収納ケース１は、一面を開口とした箱形形状に形成されたケース本体２に、その開口を覆うカバー体３を上下方向に開閉自在となるように設け、ケース本体２の内部には光電変換部７及び収容トレイ４を納めてなるものである。また、ケース本体２の接続面４０には、光電変換部７からの出力端子８を設けている。
【００１６】
光ケーブル２０は、屋外において電柱等を介して建物に引き込まれる。屋外から建物に光ケーブル２０を引き込むには、電柱から建物の近傍に対して光ケーブル２０をある程度の余長を持って引き、建物の外壁面に設けられる光ファイバ収納ケース１に余長分を収納する。光ファイバ収納ケース１内においては、光ケーブル２０の被覆を除いて、光ファイバ２１のみの状態にして収納する。
【００１７】
また、光ファイバ２１の先端は、コネクタ２４を一端に有するあらかじめ用意しておいた別の光ファイバ２９と接続する。コネクタ２４は、光ファイバ収納ケース１内に設けられる光電変換部７の差込口７ａに差込まれる。光電変換部７は、接続された光ファイバ２１の光信号を電気信号に変換して出力端子８に出力するもので、ケース本体２にはあらかじめ設置固定されている。出力端子８には同軸ケーブル（図示しない）を接続し、その同軸ケーブルが建物内部に引き込まれて、屋外に設置されている光ケーブル２０からの信号を建物内部に取り込むことができる。
【００１８】
光ファイバ２１を収納するためには、トレイ状に形成された収容トレイ４を光ファイバ収納ケース１とは別体として設けて、これを光ファイバ収納ケース１内に納めて固定する。収容トレイ４は、引込んだ光ケーブル２０を保持固定する光ファイバ固定部５と、光ファイバ２１を巻付け固定する収容部３０と、光ファイバ２１と光ファイバ２９とを図示しないメカニカルスプライス等のファイバ結合材により結合し、当該結合材を固定する結合材固定部３１と、光ファイバ２１を光電変換部７に接続するためのコネクタ２４を一時的に固定しておくコネクタ保持部３２と、光ファイバ２１を光電変換部７に接続するためのファイバ用開口３３とを備えてなるものである。
【００１９】
光ファイバ固定部５は、ケース本体２の引込口６から挿入された光ケーブル２０を固定する。本実施形態における光ファイバ固定部５は、ケース本体２の接続面４０の近傍における収容トレイ４の底面に平面状の固定基部１０を設け、その固定基部１０に光ケーブル２０を固定するためのケーブル保持部１１と折返し固定部１２及び被覆線保持部１３を設けてなるもので、この光ファイバ固定部５を２つ並べている。したがって、本実施形態における光ファイバ収納ケース１は、２本の光ファイバ２１を固定し、収納することができる。
【００２０】
光ファイバ２１は、収容トレイ４に設けられた光ファイバ固定部５に固定されると共に、余長分を収容トレイ４の収容部３０に巻付けて保持固定する。また、結合材固定部３１において光ファイバ２９と接続し、その光ファイバ２９のコネクタ２４をコネクタ保持部３２に一時的に固定しておく。このようにして光ファイバ２１、２９を納めた収容トレイ４を、ケース本体２に対して取付けると共に、コネクタ保持部３２に固定されているコネクタ２４を、ケース本体２の光電変換部７の差込口７ａに対して差込み、接続する。このように、光ファイバ２１の余長分を納める収容部３０を備えた収容トレイ４をケース本体２とは別体として設けたことにより、光ファイバ２１の巻取り作業をケース本体２の取付位置で行う必要がなく、高所での作業を減らすことができる。
【００２１】
光ファイバ収納ケース１のケース本体２は、図２に示すようにその内部に箱形形状からなる光電変換部７を納めているほかは、中空状とされている。ケース本体２は、１つを開口面４５とし、それと対向する面を底面４６とすると共に、それ以外の面を側面４４としてなるものである。また、側面４４のうち１面は、光ケーブル２０の引込口６及び光電変換部７からの出力端子８を有する接続面４０とされる。ケース本体２の側面４４においては、開口面４５側を内部側とし、それと反対側の底面４６側を外部側とする。ここで、側面４４には略四周に渡って鍔状に突出してなる封止部５０を設けている。さらに、カバー体３において引込口６を有する面と対向する面の端部には、内面側に突出してなるカバー体封止部５１を設けている。
【００２２】
図４及び図５には、図３のＡ−Ａ断面図及びＢ−Ｂ断面図を示す。これらの図に示すように封止部５０は、ケース本体２の側面４４において、閉じた状態のカバー体３に向かって突出するように形成されている。側面４４のうち、接続面４０の封止部５１は、内部側の端部に設けられている。一方、それ以外の側面４４の封止部５１は、内外方向の略中央付近に設けられている。また、カバー体封止部５１は、カバー体３を閉じた状態において、ケース本体２に向かって突出するように形成されている。
【００２３】
この封止部５０によれば、カバー体３を閉じた状態でケース本体２の側面４４において、雨水等がケース本体２の内部に浸入することを防ぐことができる。すなわち、ケース本体２の内部に納められた電子機器である光電変換部７を雨水等から保護する防雨構造となる。また、カバー体３にはカバー体封止部５１を設けているので、ケース本体２の封止部５１と合わせて二重構造となり、より確実な防雨構造とすることができる。
【００２４】
ケース本体２の接続面４０には、光ケーブル２０を引き込むための引込口６の略半分を突起状に設けている。引込口６の残りの略半分は、カバー体３に設けられ、図３のようにカバー体３を閉じることで引込口６が形成される。すなわち、引込口６はケース本体２とカバー体３にまたがって形成される。そして、図６に示すように、光ケーブル２０を引き込んだ引込口６には、この引込口６を略覆うと共に、光ケーブル２０を保持する保持キャップ７０を設ける。
【００２５】
保持キャップ７０は、軟質の樹脂からなり、一方は引込口６に略適合する形状とすると共に、もう一方は光ケーブル２０に略適合するように絞り込んだ形状に形成される。また、保持キャップ７０は、光ケーブル２０の光ファイバ収納ケース１に対する固定位置近傍に光ケーブル２０の取付前から設けられており、光ケーブル２０をケース本体２に固定し、カバー体３を閉めて引込口６が形成された状態で、この引込口６に対して挿入、固定される。この保持キャップ７０を設けることによって、引込口６から光ファイバ収納ケース１の内部に雨水等が浸入しないようにしており、電子機器である光電変換部７を保護している。
【００２６】
光ファイバ収納ケース１のカバー体３は、ケース本体２の上部側面に設けられたヒンジ部９を介して、ケース本体２に対して開閉自在とされてなるものである。カバー体３は、開放状態ではケース本体２の開口面４５を外部に略露出させ、一方閉状態では側面がケース本体２の側面４４に係ると共に、ケース本体２の開口面４５を覆うものである。また、カバー体３には、上述のように引込口６の略半分が設けられていて、カバー体３を閉じると、ケース本体２に設けられる引込口６の略半分と合わせて１つの引込口６を形成する。
【００２７】
ヒンジ部９は、ケース本体２側に設けられる支承軸６０と、カバー体３側に設けられ、支承軸６０を挿入させる貫通孔６１とからなっている。図２に示すように支承軸６０は、ケース本体２の側面４４における封止部５１より外部側であって、側面４４から上方に延出する延出片６２の上端付近に形成される。また、貫通孔６１は、カバー体３の側面において、ケース本体２の支承軸６０と略対応する位置であって、側面から延出する延出片６２に形成される。ヒンジ部９をこのように設けることにより、カバー体３はケース本体２に対して、ケース本体２から突出した封止部５１に干渉することなく開閉自在とすることができる。また、カバー体３から突出したカバー体封止部５１もケース本体２に対して干渉することなくカバー体３を開閉させることができる。
【００２８】
図７には、ヒンジ部９を回転自在とした状態における拡大図を示す。この図に示すように支承軸６０は、ケース本体２の延出片６２から外側に向かって突出する円柱の両側を切欠いた棒状に形成されており、円形部６０ａ及び直線部６０ｂとからなる。一方、貫通孔６１は、略円形に形成されて支承軸６０に対してカバー体３を回転自在とする回転部６１ａと、この回転部６１ａから連続した細長状に形成されて支承軸６０に対してカバー体３をスライド自在とする保持部６１ｂとからなっている。支承軸６０の断面における幅は、貫通孔６１の保持部６１ｂに略適合する大きさに形成されている。
【００２９】
図７の状態では、支承軸６０は貫通孔６１の回転部６１ａにあって、円形部６０ａは回転部６１ａに当接すると共に、回転自在とされている。したがってこの状態においては、カバー体３はケース本体２に対して開閉自在である。また、図７では、支承軸６０の直線部６０ｂが貫通孔６１の保持部６１ｂに対して略直線状となるまでカバー体３をケース本体２に対して開いた状態であるために、支承軸６０を貫通孔６１の保持部６１ｂにスライドさせることが可能である。図８には、保持部６１ｂを支承軸６０に対してスライドさせた状態における拡大図を示す。
【００３０】
図８の状態では、支承軸６０は貫通孔６１の保持部６１ｂにあって、直線部６０ｂは保持部６１ｂに当接してスライド自在とされている。すなわち、この状態では、カバー体３はケース本体２に対して回転動作することはできないが、上下方向にスライド動作することができる。このように、貫通孔６１は支承軸６０を回転自在とする回転部６１ａと、スライド自在とする保持部６１ｂを有していることにより、カバー体３をケース本体２に対して回転動作させ開放状態とした状態で、カバー体３をケース本体２に対してスライドさせることで、カバー体３が自重により閉まらないように開閉方向に保持することができる。したがって、光ファイバ収納ケース１に対して光ファイバ２１を納める作業を行う際に、カバー体３を開放状態に固定しておくことができ、作業を容易に行うことができるようになる。
【００３１】
これまで、本発明の実施形態について説明したが、本発明の適用はこれに限られず、その技術的思想の範囲内において様々に適用しうるものである。例えば、本実施形態においては、ケース本体２にカバー体３の方向に向かって突出する封止部５１を設け、防水構造としているが、逆にカバー体３の側面に、略四周に渡ってケース本体２の方向に突出するように封止部５１を設けるようにしてもよい。この場合には、本実施形態においてケース本体２に封止部５１を設けた位置と略対応するカバー体３の側面位置に封止部５１を設けることで、本実施形態と同様の防雨構造とすることができる。
【００３２】
また、本実施形態では側面のうち一面だけを二重の防雨構造としているが、封止部５１をケース本体２とカバー体３のいずれにも略四周に渡って設けて、側面を全て二重の防雨構造としてもよい。いずれにしても、ケース本体２またはカバー体３から鍔状に突出する封止部５１に対して、ヒンジ部９はそれより外部側に設け、カバー体３の開閉動作及びスライド動作の際に干渉しないようにすればよい。
【００３３】
また、本実施形態では、ケース本体２に支承軸６０を設け、カバー体３に貫通孔６１を設けて、カバー体３をケース本体２に対して開閉自在とすると共に、カバー体３の開放状態でケース本体２に保持させることができるように構成している。一方、これとは逆にカバー体３に支承軸６０を設け、ケース本体２に貫通孔６１を設けるようにしてもよい。この場合には、カバー体３側面の延出片６３に内側に向かって突出するように支承軸６０を形成し、ケース本体２側面の延出片６２に貫通孔６１を形成する。つまり、カバー体３の支承軸６０によってケース本体２の側面を挟むようにヒンジ部９を形成することになる。
【００３４】
支承軸６０は、上記実施形態と同様の形状からなるように形成する。一方、貫通孔６１は、回転部６１ａの下部に保持部６１ｂが配置されるように形成し、上記実施形態と同様に開放状態としたカバー体３を下方にスライドさせることで、ケース本体２にカバー体３を開閉方向に動作しないように保持させることができる。このようにスライドするのはいずれの場合にもカバー体３であるので、カバー体３の開放状態における上記実施形態とは上下反転した形状の貫通孔６１とする必要がある。
【００３５】
【発明の効果】
以上のように、本発明に係る屋外用電子機器の防雨構造によれば、ケース本体またはカバー体の側面に鍔状の封止部を設け、カバー体をケース本体に対して開閉自在とするヒンジ部はケース本体またはカバー体の側面における封止部より外部側に設け、ヒンジ部の貫通孔はカバー体を回転自在とする回転部とスライド自在とする保持部からなることにより、封止部に対して干渉することなくカバー体をケース本体に対して開閉させることができ、かつカバー体を開放状態で固定しておくことができるので、カバー体を保持しておく必要がなく、ケース本体に対する作業を容易に行うことができる。
【００３６】
また、本発明に係る屋外用電子機器の防雨構造によれば、支承軸は円柱の両側を切欠いて貫通孔の保持部と略同幅とした棒状に形成してなることにより、カバー体をスライドさせた際に、カバー体をケース本体に対して回転しないように強固に保持しておくことができる。
【００３７】
さらに、本発明に係る屋外用電子機器の防雨構造によれば、ケース本体及びカバー体の側面にはそれぞれ延出片を設け、各延出片に支承軸または貫通孔を形成することにより、ヒンジ部の動作をケース本体及びカバー体の側面から離れた位置で行うことができるので、封止部の突出を大きく形成してより確実な防雨構造とすることができる。
【００３８】
さらにまた、本発明に係る屋外用電子機器の防雨構造によれば、ケース本体には外部から引き込まれる信号線を納め、その引込口にはそれを略覆う保持キャップを設け、保持キャップは信号線を引込口に対して保持固定することにより、ケース本体に信号線を引き込む部分から雨水等が浸入することを防ぐことができて、電子機器の保護をより確実にすることができる。
【００３９】
そして、本発明に係る屋外用電子機器の防雨構造によれば、信号線の引込口はケース本体とカバー体にまたがって形成され、保持キャップはカバー体をケース本体に対して閉じた状態における引込口を略覆うことにより、保持キャップはカバー体とケース体を保持固定して、カバー体を閉めた状態で容易に開かないようにすることができる。
【図面の簡単な説明】
【図１】本実施形態における光ファイバ収納ケースのカバー体を開けた状態における平面図である。
【図２】本実施形態における光ファイバ収納ケースの組立斜視図である。
【図３】本実施形態における光ファイバ収納ケースのカバー体を閉めた状態における平面図である。
【図４】図３のＡ−Ａ断面図である。
【図５】図３のＢ−Ｂ断面図である。
【図６】本実施形態における光ファイバ収納ケースの光ケーブル引込部分の拡大図である。
【図７】本実施形態におけるヒンジ部を回転自在とした状態における拡大図である。
【図８】本実施形態におけるヒンジ部を保持した状態における拡大図である。
【符号の説明】
１      光ファイバ収納ケース
２      ケース本体
３      カバー体
７      光電変換部
９      ヒンジ部
２０      光ケーブル
５０      封止部
５１      カバー体封止部
６０      支承軸
６０ａ    円形部
６０ｂ    直線部
６１      貫通孔
６１ａ    回転部
６１ｂ    保持部
６２      延出片
６３      延出片
【図１】
2004363361.tif 000003
【図２】
2004363361.tif 000004
【図３】
2004363361.tif 000005
【図４】
2004363361.tif 000006
【図５】
2004363361.tif 000007
【図６】
2004363361.tif 000008
【図７】
2004363361.tif 000009
【図８】
2004363361.tif 000010